(57)【要約】      （修正有）【課題】手袋をはめやすいうえ、コーテイングされた鍋やフライパンの洗浄時にも表面に傷がつかず、熱いお湯でも皿洗いをしやすく、煮沸や電子レンジを利用した高温殺菌が可能である皿洗い用シリコンたわし手袋を提供する。【解決手段】手袋部１０と、手袋部の手の平部と指の内側に手袋と一体化された突起型たわし２０を含み、手袋部と突起型たわしは、いずれもシリコン素材で形成され、突起型たわしの突起３０は、手袋部の手の平部と指の内側の外表面に多数突出して円筒形を成し、突起の長さの方向には線のごとく細長い多数の線形突出部が設けられる。【選択図】図２
0003212281.tif 000002
【実用新案登録請求の範囲】
【請求項１】
通常の皿洗い用ゴム手袋の形で作られた手袋部（１０）と、前記手袋部の手の平部と指の内側に手袋と一体化された突起型たわし（２０）を含み、
前記手袋部（１０）と突起型たわし（２０）は、いずれもシリコン素材で形成され、
前記突起型たわし（２０）の突起（３０）は、手袋部（１０）の手の平部と指の内側の外表面に多数突出して円筒形を成し、
前記円筒形の突起（３０）の長さの方向には線のごとく細長い多数の線形突出部（３１）が設けられることを特徴とする皿洗い用シリコンたわし手袋。
【請求項２】
請求項１において、前記手袋部（１０）の手の平部にある円筒形の突起（３２）は、指の内側にある円筒形の突起（３３）より丈夫に作られていることを特徴とする皿洗い用シリコンたわし手袋。
【請求項３】
請求項１において、前記手袋部（１０）の手の平部にある円筒形の突起（３２）は、指の内側にある円筒形の突起（３３）より、その高さが高いことを特徴とする皿洗い用シリコンたわし手袋。
【請求項４】
請求項３において、
前記円筒形の突起（３２、３３）の高さは、
手袋部の手の平部にある突起（３２）が４〜６ｍｍに形成され、
指の内側にある突起（３３）は２〜３ｍｍに形成され、
円筒形の突起（３２，３３）の直径は０．８〜１．２ｍｍに形成されることを特徴とする皿洗い用シリコンたわし手袋。
【請求項５】
請求項１から４のいずれか一つにおいて、前記皿洗い用シリコンたわし手袋（１００）の内側には、指の外側や手の甲と接触する面に多数の半球形の突起（４０）が形成されることを特徴とする皿洗い用シリコンたわし手袋。
【請求項６】
請求項５において、前記皿洗い用シリコンたわし手袋（１００）の内側には、指の表面及び手の平と接触する面に多数の半球形の突起（４０）が設けられていることを特徴とする皿洗い用シリコンたわし手袋。
【請求項７】
請求項１から４のいずれか一つにおいて、前記皿洗い用シリコンたわし手袋（１００）の上端部の腕の外側と接触する部分には穴（５０）及び輪（６０）の少なくとも一方が形成されることを特徴とする皿洗い用シリコンたわし手袋。
【考案の詳細な説明】
【技術分野】
【０００１】
本考案は、皿洗い用シリコンたわし手袋に関し、より詳細には、皿洗い用手袋全体をシリコン素材で作り、手の平部と指の内側にはシリコン素材の突起型たわしを手袋と一体化させた皿洗い用シリコンたわし手袋に関するものである。
【背景技術】
【０００２】
図１は、従来のゴム手袋の手の甲側から見た斜視図である。皿洗いをする場合、水や洗剤から手を保護するためゴム素材で防水できるよう製造された、図１に示すようなゴム手袋が一般的に使われる。
【０００３】
ゴム手袋は弾力性に乏しく、ゴム手袋をはめるのも楽ではなく、ゴム手袋をはめると使用者の肌に密着し、風通しも悪く、汗や湿気が生じ、不快なにおいが出たり、湿疹のような皮膚疾患を引き起こすという問題がある。
【０００４】
ゴム手袋をはめた後に汗や湿気が生じると、ゴム手袋の内側が使用者の肌について離れにくくなり、脱ぎにくい状態となる。また、大抵ゴム手袋の保管時に洗濯ばさみなどで挟んでかけておくか、流し台の周辺に置くようになるが、この時ゴム手袋の内側が十分に乾かず、使用者が再びゴム手袋をはめる時に不快に感じるという問題がある。
【０００５】
脂気のある鍋や器は熱いお湯で洗ってこそ油が容易に除去されるが、ゴム手袋は耐熱性に乏しく、熱をよく伝導するので、ゴム手袋をはめても熱いお湯では皿洗いをしにくい問題がある。
【０００６】
皿洗いをする時、ゴム手袋の使用者は洗剤を容易に泡立てるために、微細な穴が空いているスポンジや不織布素材のたわしを一緒に使用する。
【０００７】
使用者はゴム手袋をはめた手で片手には食器を持ち、もう一方の手で洗剤のついたたわしを持ったり置いたりしながら皿洗いをするのが不便であり、ゴム手袋に洗剤がついていると、特に表面が滑らかな食器は滑りやすく、たわしは手でつかめる程の大きさであるため、たわしで器の狭い部分や角張った部分は洗いにくいという不便さがある。
【０００８】
従来のゴム手袋の手の平部に、たわしの役割を果たせるスポンジなどを付着させたゴム手袋が開発されてきたが、たわしの役割を果たすスポンジなどは耐久性が弱く、ゴム手袋の寿命まで短くするという問題点がある。
【０００９】
スポンジや不織布素材のたわしには微細な穴があり、皿洗いしながらカスが挟まりやすく抜けにくい。また、たわしは通常濡れた状態で常温で保管されるため、細菌が繁殖しやすく、たわしを消毒するため煮沸すると、熱に弱いたわしがもろくなりやすい。また、漂白剤のような化学薬品で消毒すると、洗った器に化学薬品が残る懸念がある。
【先行技術文献】
【特許文献】
【００１０】
【特許文献１】韓国登録実用新案第２０−０３３９４６０号公報
【特許文献２】韓国登録特許第１０−１２８８３６８号公報
【考案の概要】
【考案が解決しようとする課題】
【００１１】
本考案の目的は前述の通り、従来のゴム手袋が持っている問題点を解決するための改善であって、皿洗い用手袋全体をシリコン素材で作り、手の平部と指の内側にシリコン素材の突起型たわしを手袋と一体化させた、皿洗い用シリコンたわし手袋を提供することにある。
【課題を解決するための手段】
【００１２】
本考案の皿洗い用シリコンたわし手袋は、通常の皿洗い用ゴム手袋の形で作られた手袋部（１０）と、前記手袋部の手の平部と指の内側に手袋と一体化させた突起型たわし（２０）を含み、前記手袋部（１０）と突起型たわし（２０）は、いずれもシリコン素材で形成され、前記突起型たわし（２０）の突起（３０）は、手袋部（１０）の手の平部や指の内側の外表面に多数突出して円筒形を成し、前記円筒形の突起（３０）は線のごとく細長い多数の線形突出部（３１）が設けられることを特徴とする。
【００１３】
また、前記手袋部（１０）の手の平部にある円筒形の突起（３２）は、指の内側にある円筒形の突起（３３）より丈夫に作られていることを特徴とする。
【００１４】
また、前記手袋部（１０）の手の平部にある円筒形の突起（３２）は、指の内側にある円筒形の突起（３３）より、その高さが高いこと特徴とする。
【００１５】
また、前記円筒形の突起（３２、３３）の高さは、手袋部の手の平部にある突起（３２）が４〜６ｍｍに形成され、指の内側にある突起（３３）は２〜３ｍｍに形成され、円筒形の突起（３２、３３）の直径は０．８〜１．２ｍｍに掲載されることを特徴とする。
【００１６】
また、前記皿洗い用シリコンたわし手袋（１００）の内側には、指の外側や手の甲と接触する面に多数の半球形の突起（４０）が形成されることを特徴とする。
【００１７】
また、前記皿洗い用シリコンたわし手袋（１００）の内側には、指の表面及び手の平に接触する面にも多数の半球形の突起（４０）が設けられていることを特徴とする。
【００１８】
また、前記皿洗い用シリコンたわし手袋（１００）の上端部の腕の外側と接触する部分には、穴（５０）及び／又は輪（６０）が形成されることを特徴とする。
【考案の効果】
【００１９】
シリコンは、軟質で柔軟性に優れ、耐熱性があるとされている。本考案の皿洗い用シリコンたわし手袋は、手袋全体と手袋が一体化された突起型たわしをシリコン素材で作るので、手袋をはめやすいうえ、コーテイングされた鍋やフライパンの洗浄時にも表面に傷がつかず、熱いお湯でも皿洗いをしやすく、煮沸や電子レンジを利用した高温殺菌が可能であるという効果がある。
【００２０】
本考案の皿洗い用シリコンたわし手袋の内側には多数の半球形の突起が設けられているので、皿洗い用手袋が肌につかず、空気が皿洗い用手袋の内側に残り、湿気が生じにくいので便利であり、さらに、保管の際、皿洗い用手袋の内側が容易に乾燥するという効果がある。
【００２１】
本考案の皿洗い用シリコンたわし手袋は、皿洗い用手袋と突起型たわしを一体化させ、皿洗いする時、たわしを別に使用する必要がなく、簡単に皿洗いができるという効果がある。
【００２２】
本考案の皿洗い用シリコンたわし手袋は、手の平だけでなく指の内側にも突起型たわしが設けられているので、皿洗い用手袋に洗剤がついていても表面が滑らかな器を滑り落とすことなく、指がうまく届かない器の狭い部分や角張った部分まで楽に洗える効果がある。
【００２３】
本考案の皿洗い用シリコンたわし手袋のたわしは、突起型となっているが、この突起に、突起の長さの方向に線のごとく細長い線形突出部（３１）が多数あり、線形突出部（３１）がない場合に比べて洗剤が突起の外表面と線形突出部（３１）の間に長く留まることで、洗剤が十分に泡立つ効果がある。
【００２４】
本考案の皿洗い用シリコンたわし手袋のたわしは、微細な穴のない突起型に形成され、皿洗い時にカスが挟まりにくく、挟まったとしても簡単に抜け、皿洗い後の乾燥が容易で、細菌の繁殖を防ぐ効果がある。
【図面の簡単な説明】
【００２５】
【図１】従来のゴム手袋の手の甲側から見た斜視図である。
【図２】本考案による皿洗い用シリコンたわし手袋の手の平側から見た平面図である。
【図３】本考案による皿洗い用シリコンたわし手袋の手の甲側から見た斜視図である。
【考案を実施するための形態】
【００２６】
以下、本考案の実施例について添付した図面を参照して詳しく説明する。
【００２７】
図２は本考案による皿洗い用シリコンたわし手袋の手の平側から見た平面図である。また、図３は本考案による皿洗い用シリコンたわし手袋の手の甲側から見た斜視図である。
【００２８】
本考案の皿洗い用シリコンたわし手袋（１００）は通常の皿洗い用ゴム手袋の形で作られた手袋部（１０）と、前記手袋部の手の平部と指の内側に手袋と一体化された突起型たわし（２０）を含み、前記手袋部（１０）と突起型たわし（２０）はいずれもシリコン素材で作られている。
【００２９】
前記突起型たわし（２０）の突起（３０）は、手袋部（１０）の手の平と指の内側の外表面に多数突出し、円筒形を成している。前記円筒形の突起（３０）の長さの方向に線のごとく細長い線形突出部（３１：図示なし）が多数設けられており、前記線形突出部（３１）がない場合に比べ、洗剤が突起（３０）の外表面と線形突出部（３１）の間に長く留まることによって、洗剤の泡が十分に発生し洗剤を節約して効率的に皿洗いができる。
【００３０】
前記手袋部（１０）の手の平部にある円筒形の突起（３２）は指の内側にある円筒形の突起（３３）より丈夫に作られ、その高さも十分に高くとられている。
【００３１】
前記円筒形の突起（３２、３３）の高さは、手袋部の手の平部にある突起（３２）は４〜６ｍｍ、指の内側にある突起（３３）は２〜３ｍｍであり、円筒形の突起（３２、３３）の直径は０．８〜１．２ｍｍで作られるのが望ましい。
【００３２】
円筒形の突起（３２、３３）の高さが上記の寸法より小さいと、使用時の突起（３２、３３）は手袋部（１０）の外表面から突き出た部分が小さすぎるため、たわしとしての機能が不十分となる。また、前記の寸法より大きいと、使用時の突起（３２，３３）が一方向に傾くため、たわしとしての機能が低下する。円筒形の突起（３２、３３）の直径が０．８ｍｍより小さいと、円筒形の突起（３２、３３）がとても細くなり、１．２ｍｍより大きいと円筒形の突起（３２、３３）がとても太くなり、たわしの機能として好ましくない。
【００３３】
前記皿洗い用シリコンたわし手袋（１００）の内側には多数の半球形の突起（４０）が設けられている。前記半球形の突起（４０）は指の外側や手の甲と接触する面に設けられており、これに加え指の内側や手の平と接触する面にも設けられている。これにより皿洗い用手袋（１００）が肌に付かず、空気が皿洗い用手袋（１００）の中に留まり、湿気が生じにくく、脱ぐのにも楽であり、保管の際、皿洗い用手袋（１００）の内側が容易に乾燥するようになる。
【００３４】
従来のゴム手袋の保管が不便だった点を解決するため、前記皿洗い用手袋（１００）の上端部の腕の外側と接触する部分には穴（５０）または輪（６０）を設け、使用者は前記穴（５０）または輪（６０）を利用して流し台の付近にある調理器具掛けに皿洗い用手袋（１００）を掛けることができる。
【００３５】
以上、皿洗い用手袋について説明したが、本考案の皿洗い用シリコンたわし手袋は洗濯や浴室などの掃除にも使用できる。
【符号の説明】
【００３６】
１００：本考案の皿洗い用シリコンたわし手袋
１０：手袋部
２０：突起型たわし
３０：突起
３１：線形突出部
３２：手の平部にある円筒形の突起
３３：指の内側にある円筒形の突起
４０：半球形の突起
５０：穴
６０：輪
【図１】
0003212281.tif 000003
【図２】
0003212281.tif 000004
【図３】
0003212281.tif 000005